(57)【要約】【課題】バイアスローラ上のトナーを掻き落とすゴムブレードの摩擦力上昇を画像作成中にも効果的に防ぎ、クリーニング不良・異音の発生を防ぎ安定した品質の画像を得ることができる電子写真装置用クリーニング装置を提供すること。【解決手段】被クリーニング体の表面に当接して同表面をクリーニングするファーブラシと、ファーブラシにバイアスを印加するためのバイアスローラと、バイアスローラに付着した粉体を除去するゴムブレードと、バイアスローラからゴムブレードでは除去できない付着物を除去するための摺擦部材と、を備え、摺擦部材の抵抗値が１×１０８Ω〜１×１０１０Ωであり、且つ、摺擦部材のバイアスローラとの摩擦帯電極性がバイアスローラに印加されるバイアスと同極性であることを特徴とする。【選択図】図２
2006276681.tif 000002
【特許請求の範囲】
【請求項１】
被クリーニング体の表面に当接して同表面をクリーニングするファーブラシと、ファーブラシにバイアスを印加するためのバイアスローラと、バイアスローラに付着した粉体を除去するゴムブレードと、バイアスローラからゴムブレードでは除去できない付着物を除去するための摺擦部材と、を備え、摺擦部材の抵抗値が１×１０８
Ω〜１×１０１０Ωであり、且つ、摺擦部材のバイアスローラとの摩擦帯電極性がバイアスローラに印加されるバイアスと同極性であることを特徴とする電子写真装置用クリーニング装置。
【請求項２】
前記摺擦部材として（−）極性を印加するバイアスローラ用にポリウレタンを発泡させたスポンジローラ、（＋）極性を印加するバイアスローラ用にポリエステルを発泡させたスポンジローラをそれぞれ用いたことを特徴とする請求項１記載の電子写真装置用クリーニング装置。
【発明の詳細な説明】
【技術分野】
【０００１】
本発明は、像担持体上に可視画像を形成し、このトナー像を記録材に静電的に転写するようにした画像形成装置のクリーニング装置に関するものであり、例えば電子写真方式あるいは静電記録方式の画像形成装置等に好適に応用し得る。
【背景技術】
【０００２】
複写機、ファクシミリ、プリンタ等の画像形成装置において、例えば感光体より成る潜像担持体上に静電潜像を形成し、この静電潜像をトナー像として可視像化するものでは、そのトナー像の静電転写を行った後、転写に寄与しなかったトナーが感光体表面に残留付着しているので、斯かる付着トナーを感光体から除去して回収するようにしている。
【０００３】
又、この種の画像形成装置で、感光体上のトナー像を、転写ドラムや転写ベルト等の中間転写回転体に静電方式で転写し、この中間転写回転体上の転写像を更に記録媒体に転写するようにした画像形成装置が提案されているが、その中間転写回転体上にも、トナー像転写後にトナーが残留付着しているので、これを除去して回収するようにしている。
【０００４】
これらの残留付着したトナーの除去方法としては、ゴムブレードを像担持体に押し当てて除去する方法や、ファーブラシクリーニング手段にバイアス印加して残トナーを静電的に除去する方法等が提案されている。
【０００５】
前記ファーブラシクリーニングは、ブレードクリーニング手段で問題となる中間転写ベルトの寿命への影響、或いは摩擦抵抗変動による負荷変動等の問題に対して有利であるが、残留付着しているトナーの帯電極性は転写バイアスによって（＋）に帯電したものと（−）に帯電したものが存在するため、１本のファーブラシで、且つ、片極性のバイアス印加では全ての残留付着トナーを回収し切れない問題が発生する。この問題に対し複数本のファーブラシにそれぞれ異極性の（＋）、（−）のバイアスを印加することで転写後の残留付着トナーを回収する方法が提案されている（特許文献１）。
【０００６】
【特許文献１】特開２００２−２０７４０３号公報
【発明の開示】
【発明が解決しようとする課題】
【０００７】
特許文献１に記載されている手法によると、ファーブラシにバイアスを印加するために、金属製ローラ（以下、バイアスローラ）をファーブラシに接触させ、バイアスローラにバイアスを印加する手法を用いている。この構成により、ファーブラシからトナーをバイアスローラ側に回収することが可能になる。そして、バイアスローラ上のトナーはゴムブレードにより除去されてトナー搬送スクリューを通して、所定の容器に回収される。
【０００８】
このバイアスローラ表面は長期間残留トナー回収を繰り返すことにより、ゴムブレードでは除去できないトナー成分が付着・蓄積していく現象（以下、トナーフィルミング）が発生する。この現象がひどくなると、バイアスローラとゴムブレードとの摩擦力が上昇し、十分なクリーニングができなくなったり、最悪の場合、バイアスローラが回転できなくなる。
【０００９】
そこで、トナーフィルミングを解消するために、バイアスローラ上に蓄積しているトナー成分をゴムブレード以外の手段、例えば樹脂製スポンジの摺擦部材（以下、スポンジローラ）等を用いて除去しなければならない。
【００１０】
しかし、バイアスローラは導体であるため、スポンジローラの当接時にバイアスローラにバイアスを印加すると、スポンジローラ側に電流が流れてしまう場合がある。スポンジローラ側に電流が流れると、ファーブラシから十分にトナーを回収することができず、ファーブラシのクリーニング性能が落ち、結果としてクリーニング不良が発生してしまう。バイアスローラにバイアスを印加していない間のみスポンジローラを当接させる構成も考えられるが、ゴムブレードとバイアスローラとの摩擦力が上がる現象は画像形成中にも発生することから、バイアスローラにバイアス印加中にもスポンジローラを当接できるようにしなければならない。
【００１１】
又、バイアスローラに付着したトナー成分を除去する過程において、スポンジローラ近傍で異常放電が発生する場合がある。この現象は、バイアスローラに印加する電位は異常放電の発生する電位よりも十分低い電位に設定しているにも係わらず発生することから、バイアスローラ上のトナー成分を除去する際、バイアスローラの印加バイアスとスポンジローラの摩擦帯電による電圧の合計値が、放電開始電圧を超えたために発生していると考えられる。結果として異音が発生したり、集積回路を故障に繋がることから、バイアスローラの印加バイアスとスポンジローラの摩擦帯電による電圧の合計値が、放電開始電圧を超えないようにしなければならない。
【００１２】
本発明は上記事情に鑑みてなされたもので、その目的とする処は、バイアスローラ上のトナーを掻き落とすゴムブレードの摩擦力上昇を画像作成中にも効果的に防ぎ、クリーニング不良・異音の発生を防ぎ安定した品質の画像を得ることができる電子写真装置用クリーニング装置を提供すること。
【課題を解決するための手段】
【００１３】
上記目的を達成するため、被クリーニング体の表面に当接して同表面をクリーニングするファーブラシと、ファーブラシにバイアスを印加するためのバイアスローラと、バイアスローラに付着した粉体を除去するゴムブレードと、バイアスローラからゴムブレードでは除去できない付着物を除去するための摺擦部材と、を備え、摺擦部材の抵抗値が１×１０8 Ω〜１×１０10Ωであり、且つ、摺擦部材のバイアスローラとの摩擦帯電極性がバイアスローラに印加されるバイアスと同極性であることを特徴とする。
【００１４】
表１に、スポンジローラの抵抗値を最適化するために行った検討の結果を示す。摺擦部材の材質として、バイアスローラとの摩擦により（−）に帯電するポリウレタン樹脂製スポンジローラと、（＋）に帯電するポリエステル樹脂製スポンジローラを用いた。更に、抵抗値を１×１０6 〜１×１０12Ωまで振った物をそれぞれ用意し、長手全域にトナーがある画像形成を１０００回行った後、クリーニング不良及び異常放電発生の有無を確認した。クリーニング不良は出力画像、異常放電は異音の発生をもって判断した。
【００１５】
【表１】
2006276681.tif 000003
表１の結果を見ると１×１０8 Ω以下のスポンジローラを用いた場合においては、ポリウレタン製スポンジローラ、ポリエステル製スポンジローラ共に、軽微なクリーニング不良が発生するようになったが、１×１０8 Ω以上においてクリーニング不良は確認されなくなった。
【００１６】
又、１×１０8 ８Ωよりも抵抗値が大きい場合、バイアスローラの極性によって、スポンジローラの材質の差が現れた。バイアスローラと摩擦帯電の極性が同じ極性になる組み合わせ、例えばバイアスローラに（−）極性のバイアスを印加した際には摩擦帯電によって（−）極性の電位が発生するポリウレタン製スポンジローラは抵抗値が１×１０8 Ω〜１×１０10Ωの場合には異常放電による異音が発生しなかった。
【００１７】
しかし、バイアスローラと摩擦帯電の極性が反対になる組み合わせ、例えばバイアスローラに（−）極性のバイアスを印加した際には摩擦帯電によって（＋）極性の電位が発生するポリエステル製スポンジローラは抵抗値が１×１０8 Ω以上で異常放電に伴う異音が発生した。
【００１８】
以上の結果をまとめると、被クリーニング体の表面に当接して同表面をクリーニングするファーブラシと、ファーブラシにバイアスを印加するためのバイアスローラと、バイアスローラに付着した粉体を除去するゴムブレードと、バイアスローラからゴムブレードでは除去できない付着物を除去するための摺擦部材と、を備え、摺擦部材の抵抗値が１×１０8 Ω〜１×１０10Ωであり、且つ、摺擦部材のバイアスローラとの摩擦帯電極性がバイアスローラに印加されるバイアスと同極性であることを特徴とする電子写真装置用クリーニング装置によって前記目的が達成されることが分かる。
【発明の効果】
【００１９】
本発明によれば、バイアスローラ上のトナーを掻き落とすゴムブレードの摩擦力上昇を画像作成中にも効果的に防ぎ、クリーニング不良・異音の発生を防ぎ安定した品質の画像を得ることが可能になった。
【発明を実施するための最良の形態】
【００２０】
以下に本発明の実施の形態を添付図面に基づいて説明する。
【００２１】
図１は本発明の実施の形態１に係る画像形成装置を示す概略構成図である。この画像形成装置は、中間転写体を用いた電子写真画像形成装置である。以下、本発明の画像形成装置について詳しく説明する。
【００２２】
画像形成装置本体内には矢印Ｘ方向に走行する無端状の中間転写体８１が配設している。この中間転写体８１は、ポリカーボネート、ポリエチレンテレフタレート樹脂フィルム、ポリフッ化ビニリデン樹脂フィルム、ポリイミド、エチレン４フッ化エチレン共重合体等のような誘電体樹脂によって構成されている。本実施の形態では、体積抵抗率１×１０9 Ω・ｃｍ（ＪＩＳ−Ｋ６９１１法準拠プローブを使用し、印加電圧５００Ｖ、印加時間６０ｓｅｃ）、厚みｔ＝８０μｍの導電性ポリイミドシームレスベルトを採用したが、他の材料、体積抵抗率及び厚みのものでも構わない。更には、表層に弾性層を有する中間転写体においては、中間転写体のクリーニング手段としてブレードクリーニングが採用できない場合があるため、より最適である。
【００２３】
給紙カセット６０から取り出された記録紙Ｐは、ピックアップローラ３０を経て上述の搬送ローラ２８に供給され、更に同図左方に搬送される。
【００２４】
次に、図２を用いて画像形成部を説明する。
【００２５】
画像形成部は、回転可能に配置されたドラム状の電子写真感光体（以下、「感光ドラム」と言う）１を備えている。感光ドラム１は、アルミニウム等の導電性基体１ｂと、その外周に形成された光導電層１ａを基本構成とする円筒状の電子写真感光体である。その中心には支軸１ｃを有し、この支軸１ｃを中心として矢印Ｒ１方向に、不図示の駆動手段によって回転駆動されるようになっている。
【００２６】
感光ドラム１の周囲には、一次帯電器２、現像器４等のプロセス機器が配置されている。一次帯電装置２は、感光ドラム１表面に接してこの表面を所定の極性、電位に一様均一に帯電するものであり、全体としてローラ状に構成されている（以下、「帯電ローラ２」と言う）。帯電ローラ２は、中心に配置された導電体ローラ（芯金）２ｃと、その外周に形成された導電層２ｂとから成り、芯金２ｃの両端部が不図示の軸受部材によって回転自在に支持されるとともに、感光ドラム１に対して平行に配置されている。これら両端部の軸受部材は、不図示の押圧手段によって感光ドラム１向けて付勢されており、これにより、帯電ローラ２は、感光ドラム１表面に所定の押圧力を持って圧接されている。
【００２７】
帯電ローラ２は、感光ドラム１の矢印Ｒ１方向の回転に伴って矢印Ｒ２方向に従動回転する。帯電ローラ２の芯金２ｃには、電源１０に接続された電気接触子に接触されている。帯電ローラ２は、電源１０によってバイアス電圧が印加され、これにより、感光ドラム１表面を一様均一に接触帯電するようになっている。
【００２８】
露光手段３の下流側に配置された現像装置４は、回転軸１１９を中心にＲ４方向に４５°ずつ回転することで、現像器を４ａ，４ｂ，４ｃ，４ｄの順番に感光ドラム１の対向位置に移動させることがでてきる。この動作により感光ドラム上に順次トナー像を形成していく。
【００２９】
以下、現像器の説明を現像器４ａを使用して説明する。
【００３０】
現像器４ａは二成分現像剤１１９を収容した現像容器１１６を有し、その容器１１６の感光ドラム１に面した開口部内に現像スリーブ１１１が回転自在に設置され、現像スリーブ１１１内には現像スリーブ１１１上に現像剤を担持させるマグネットローラ１１２が、現像スリーブ１１１の回転に対して非回転に固定配置されている。
【００３１】
現像容器１１６の現像スリーブ１１１の上方位置には、現像スリーブ１１１上に担持された現像剤を規制して薄層の現像剤層に形成する規制ブレード１１５が設置されている。現像容器１１６内には、その略下半部に仕切り壁１１７により区画された現像室Ｒ１及び撹拌室Ｒ２が設けられている。
【００３２】
現像剤１１９は、トナーと磁性体であるキャリアとを主体としてなっており、トナーは負帯電性であり、キャリアは正帯電性である。先ず、現像スリーブ１１１の回転に伴いマグネットローラ１１２の磁極によって現像室Ｒ１内の現像剤が汲み上げられ、現像スリーブ１１１上に担持される。その現像剤は、マグネットローラ１１２の回転により搬送され、それまでの搬送過程においてトナーが負に帯電されると共に、現像剤が現像スリーブ１１１に対し垂直に配置された規制ブレード１１５により規制され、薄層の現像剤層に形成される。
【００３３】
薄層の現像剤層に形成された現像剤は、感光ドラム１と対向した現像領域へ搬送されると、マグネットローラ１１２の現像領域に位置された現像主極の磁気力によって穂立ちし、現像剤の磁気ブラシが形成される。この磁気ブラシで感光ドラム１の面上を擦ると共に、現像スリーブ１１１にバイアス電源１２１により現像バイアス電圧を印加することにより、磁気ブラシの穂を構成するキャリアに付着しているトナーが静電潜像の可視部（レーザ光による露光部）に付着して現像し、感光ドラム１上にトナー像が形成される。感光ドラム１の下方には、ローラ状の転写装置６（以下、「転写ローラ６」と言う）が配設されている。
【００３４】
転写ローラ６は、電源１１に接続された導電体ローラ軸６ａと、その外周面に円筒状に形成された導電層６ｂとによって構成されている。転写ローラ６の導電層６ｂとしては、その抵抗値が１０5 〜１０8 Ω・ｃｍ程度であり、単泡性或は連泡性のＥＰＤＭ、ＳＢＲ、ＢＲ等が望ましい。転写ローラ６は、両端部が不図示のスプリング等の押圧部材によって感光ドラム１に向けて付勢されており、これにより転写ローラ６の導電層６ｂは、所定の押圧力で感光ドラム１側に中間転写ベルトを挟み込むように圧接され転写ニップ部Ｎが形成される。
【００３５】
他の現像器４ｂ，４ｃ，４ｄは、現像器４ａと同様の構成を備えており、これら現像器４ａ，４ｂ，４ｃ，４ｄの異なる点は、それぞれがイエロー、マゼンタ、シアン、ブラックの各色のトナー像を形成する点である。
【００３６】
各現像器４ａ，４ｂ，４ｃ，４ｄにはそれぞれイエロートナー、マゼンタトナー、シアントナー及びブラックトナーが収納されているものとする。原稿のイエロー成分色による画像信号がポリゴンミラー（不図示）等を介して感光ドラム１上に投射されて静電潜像が形成され、これに現像器４ａからイエロートナーが供給されて静電潜像がイエロートナー像となる。このトナー像が感光ドラム１の回転に伴って、感光ドラム１と中間転写ベルト８１とが当接する転写ニップ部Ｎに到来すると、転写ローラ６に印加される転写バイアスによって、前記イエロートナー像が中間転写体８１へ転写される。
【００３７】
イエロートナー像を担持した中間転写体８１は、１回転して再び転写ニップ部Ｎに搬送されてくると、このときまでに、現像装置４は回転軸１１９を中心にＲ４方向に４５°回転し、現像器４ｂを感光ドラム対向位置に移動させ、前記と同様の方法で感光ドラム１上に形成されたマゼンタトナー像が、前記イエロートナー像上へ転移される。
【００３８】
同様に、シアントナー像、ブラックトナー像が前述のトナー像に重畳転写され、このときまでに給紙カセット６０から取り出された記録紙Ｐが前記転写部位に達し、２次転写部材４０に印加される転写バイアスによって上述の４色のトナー像は記録紙Ｐ上に転写される。
【００３９】
２次転写部の詳細な構成を図３に示す。
【００４０】
２次転写部材４０は、中間転写ベルト８１の内側に位置する２次転写内ローラ４１と外側に位置する２次転写外ローラ４２から成る。２次転写外ローラ４２は直径２４ｍｍ、導電性の軸４２ａとその表面を被覆した導電層４２ｂで形成されている。２次転写外ローラ４２の導電層４２ｂとしては、その抵抗値が１０5 〜１０7 Ω・ｃｍ程度であり、ソリッド又は発泡性のＥＰＤＭ、ＳＢＲ、ＢＲ等が望ましい。２次転写内ローラ４１は、導電性のローラで、直径は２１ｍｍ、材質は、ＳＵＳ、Ａｌ等が好ましい。
【００４１】
尚、２次転写内ローラ或は２次転写外ローラの何れか転写バイアスを印加することで中間転写ベルト上のトナーを二次転写部を通過する記録紙Ｐに転写するが、ここでは２次転写外ローラに正のバイアスを印加することで、（−）に帯電したトナーを中間転写ベルト上から記録紙Ｐ上へ転写する。
【００４２】
２次転写外ローラ４２は、中間転写ベルト８１に対して着脱可能であり、上記イエロー、マゼンタ、シアン、ブラックのトナー像を中間転写ベルト上に重畳形成しているときには脱状態になっていて、中間転写ベルト上のフルカラートナー像を記録紙Ｐに転写するときに着状態となる。
【００４３】
記録紙に転写されずに中間転写ベルト８１に残った残トナーは、ベルトの回転によりクリーニング部８に搬送される。クリーニング部にはベルト張架ローラに対向して配置され、ベルトの搬送方向で上流、下流に２本のファーブラシが配置されている。
【００４４】
このクリーニング部８も、２次転写外ローラ４２と同様に中間転写ベルトに対して着脱可能であり、中間転写ベルト上の残トナーがクリーニング部８に搬送されてきたときに着状態となる。
【００４５】
本実施の形態で使用するファーブラシは、φ８ｍｍの導電軸に、導電性で繊維状の毛を植毛したもので、外径：φ２０ｍｍ、パイル長：６ｍｍ、材質：ナイロン、密度：１００ｋＦ、抵抗：５×１０6 Ωのものを２本使用した。
【００４６】
図４は本実施の形態で使用されるファーブラシクリーニング部５を示した図である。
【００４７】
ファーブラシ５１ａ，５１ｂのベルト張架ローラ５０に接する点の下流側には金属のバイアスローラ５２ａ，５２ｂがファーブラシ５１ａ，５１ｂに進入するように配置されている。
【００４８】
又、この金属のバイアスローラのファーブラシに接する点の下流側にはゴムブレード５３が押し当てられ、ファーブラシ５１で回収したトナーをバイアスローラ５２に転移させ、ゴムブレード５３で掻き取ることでトナーを廃トナーボックス（不図示）に落下させる。それぞれ回転方向は、ファーブラシはベルトとの対向位置で反対方向（矢印Ｒ５方向に）に、バイアスローラはファーブラシとの対向位置で同じ方向（矢印Ｒ’５方向に）に回転する。
【００４９】
中間転写ベルトからファーブラシへのトナーの受け渡しは、バイアスローラ５２に＋７００Ｖを印加するとファーブラシ５１には＋６００Ｖの電圧が誘起され、接地された張架ローラ５０とに電位差が生じ、中間転写ベルト８１上のトナーがファーブラシ５１に転移する。更に、ファーブラシ５２に回収されたトナーは、ファーブラシ５１とバイアスローラ５２との電位差によりバイアスローラ５２に転移される。
【００５０】
ゴムブレード５３にはＪＩＳ−Ａゴム硬度７７°厚み２ｍｍの板状のものを用いており、バイアスローラ５２に約１ｍｍ押し当てている。スポンジローラ５４は、φ２０ｍｍのローラ形状をしており、φ１６ｍｍの芯金の周りに５４ａはポリウレタン材料、５４ｂはポリエチレン材料を発泡させたスポンジ製のローラとしている。スポンジの密度は共に０．２５〜０．３０ｇ／ｃｍ２
とした。それぞれ、バイアスローラ５２に任意のタイミングで接離可能な構成としている。スポンジローラ５４の回転方向は図中の矢印方向に回転する方がトナーフィルミングの除去性能が良く、望ましい構成である。スポンジローラ５４ａ，５４ｂの回転速度は、６０ｍｍ／ｓｅｃとした。
【００５１】
本実施の形態においては、通常の画像形成時には中間転写ベルト８１の回転方向で上流側のバイアスローラ５２ａに（−）のバイアスを、下流側のバイアスローラ５２ｂに（＋）のバイアスを印加する。つまり、上流のバイアスローラ５２ａには−７００Ｖが印加される。
【００５２】
これは、二次転写終了後の中間転写ベルト８１上の残トナーには（＋）極性、（−）極性の両極性のトナーが存在する可能性があるため、２本のファーブラシに異なる極性のバイアスを印加するようにしている。
【００５３】
図５は本実施例における二次転写部での、二次転写ローラへの印加電圧と転写効率のグラフを示したものである。このグラフ中の点線１，２は転写効率９０％時の転写電圧を示している。
【００５４】
転写効率は、
転写効率＝記録紙に転写されたトナー量／転写前の中間転写体上のトナー量×１００（％）
によって求めた。
【００５５】
点線１，２に対応する電圧はそれぞれ１．５ｋＶと３．５ｋＶと電圧は異なるが、転写電圧１．５ｋＶに設定された時の中間転写体上の残トナーは、主に（−）極性のトナーが多く、３．５ｋＶの時には主に（＋）極性のトナーが多く残っている。これは１．５ｋＶ設定時には、転写されるトナーの電荷に対し転写電圧が足りないことにより起こり、３．５ｋＶ設定時には、転写電圧が高すぎることでトナーに電荷注入、或いは放電による電荷の飛び込みによりトナー電荷の極性が反転してしまうことにある。
【００５６】
上記理由により、ファーブラシを２本、且つ、異なる極性のバイアスを印加するようにしている。
【００５７】
図６を参考にしながら、スポンジローラ５４の着脱タイミングについて述べる。
【００５８】
本実施の形態においては、スポンジローラ５４ａ，５４ｂの着脱動作は個別に行えるようにしており、簡便のためスポンジローラ５４ａについて説明する。スポンジローラ５４ａは常時当接の構成でも、バイアスローラ５２ａとゴムブレード５３ａとの摩擦力上昇を抑制することが十分可能である。しかし、スポンジローラ５４ａ表層の汚染並びに摩耗の観点から、バイアスローラ５２ａの清掃が必要な場合のみ当接する構成にする方が、より望ましい。
【００５９】
スポンジローラ５４ａの当接タイミングは、画像形成開始時バイアスローラ５２ａの駆動モータの電流量を図示しない検知機構でチェックし、所定の値Ａ１を超えた場合に一定の荷重、本実施の形態では総圧１ｋｇで当接させるようにする。バイアスローラ５２ａの駆動モータの電流量は、バイアスローラ５２ａを回転するのに必要な力に比例して増減することから、ゴムブレード５３ａの摩擦力の推移を間接的に知ることができる。
【００６０】
本実施の形態においては、Ａ１の値として、初期のバイアスローラ５２ａの駆動モータの電流量の３倍の値を用いた。この値は以前の検討において、モータの電流量の５倍の値を示した場合に、モータが過負荷により回転できなくなったことと、スポンジローラ５１ａの当接もモータの電流量を上昇させることを考慮している。
【００６１】
スポンジローラ５４ａの離間タイミングは、画像形成開始時バイアスローラ５２ａの駆動モータの電流量がＡ２の値を下回った場合に離間させる。本実施の形態では、Ａ２の値として、初期のバイアスローラ１０を回転させるモータの２倍の値を用いたが、これに限るものではない。
【００６２】
上記スポンジローラ５４ａにおける構成及び制御はスポンジローラ５４ｂにおいてもほぼ同様である。
【００６３】
図７には、（−）極性用にポリウレタンを、（＋）極性用にポリエチレンを発泡させたスポンジローラ５４を用いて、抵抗値を共に１×１０9 Ωとした場合の１００００回画像形成時におけるバイアスローラ５２駆動モータの電流量の推移を示す。この図に示されるように、本実施の形態によって、クリーニング不良が発生せず、しかも、バイアスローラ５２のゴムブレード５３との摩擦力上昇が効果的に抑えられる。
【００６４】
本実施の形態においては、フルカラーを得る画像形成装置について説明をしてきたが、勿論Ｂ／Ｗの画像を得る画像形成装置においても同様の効果を得ることができる。
【図面の簡単な説明】
【００６５】
【図１】本発明の画像形成装置の簡略断面図である。
【図２】本発明の画像形成装置の画像形成部示した簡略断面図である。
【図３】本発明の二次転写部を示した簡略断面図である。
【図４】本発明の中間転写ベルトクリーニング手段を示した簡略断面図である。
【図５】本発明の画像形成装置の二次転写部における転写電圧と転写効率の関係を示したグラフである。
【図６】本発明の摺擦部材の着脱タイミングについての説明図である。
【図７】１００００回画像形成時におけるバイアスローラ駆動モータの電流量の推移を示す図である。
【符号の説明】
【００６６】
１    感光ドラム
２    帯電ローラ
４    現像器
６    転写装置
１０  電源
６０  給紙カセット
８１  中間転写体
１１１  現像スリーブ
１１２  マグネットローラ
１１５  規制ブレード
１１９  現像剤
１２１  電源
【図１】
2006276681.tif 000004
【図２】
2006276681.tif 000005
【図３】
2006276681.tif 000006
【図４】
2006276681.tif 000007
【図５】
2006276681.tif 000008
【図６】
2006276681.tif 000009
【図７】
2006276681.tif 000010